(57)【特許請求の範囲】
【請求項１】
桟によって複数の刃穴が画成された外刃を有する外刃フレームと、
前記外刃フレームを取付可能なフレーム取付台と、
前記外刃と前記フレーム取付台との間に配置されて、前記外刃に対して相対移動することで前記刃穴に挿入させた体毛を切断する内刃と、
前記フレーム取付台の天壁部に堆積する体毛や洗浄水を排出可能な開口窓と、を備えた電気かみそりにおいて、
前記開口窓を、前記天壁部よりも下方に設けるとともに、前記天壁部の縁部に、前記開口窓に連通する溝部を設け、
前記天壁部に、前記溝部に連通する凹部を設け、
前記溝部および前記凹部を前記フレーム取付台に前記外刃フレームを装着した際に形成される空間内に形成し、
前記天壁部を、使用者が把持するグリップ部の延在方向に対して傾斜させるとともに、前記内刃の相対移動方向と交差する方向に傾斜させ、
前記溝部を、前記天壁部の傾斜して下がった一端側の縁部に設け、
前記凹部が、前記天壁部における前記内刃の相対移動方向と交差する方向に延在するとともに、前記内刃をオーバーラップする位置まで延びており、
前記天壁部の傾斜して上がった他端側の途中に前記凹部の他端縁が形成されていることを特徴とする電気かみそり。
【請求項２】
前記開口窓を開閉可能に覆う蓋部を設けたことを特徴とする請求項１に記載の電気かみそり。
【請求項３】
前記蓋部が、前記下方に向けてスライド自在となっており、
前記蓋部の上端部が、前記溝部の下端部よりも下がるようにしたことを特徴とする請求項２に記載の電気かみそり。
【請求項４】
前記凹部が、前記天壁部に向けて徐々に拡開する傾斜面を備えることを特徴とする請求項１〜３のうち何れか１項に記載の電気かみそり。
【発明の詳細な説明】
【技術分野】
【０００１】
本発明は、電気かみそりに関する。
【背景技術】
【０００２】
従来より、外刃を有する外刃フレームと、この外刃フレームを取付可能なフレーム取付台と、外刃とフレーム取付台との間に配置される内刃と、フレーム取付台に堆積する体毛や洗浄水などを排出可能な開口窓と、を備えた電気かみそりが知られている（例えば、特許文献１参照）。
【０００３】
この特許文献１では、外刃フレームに開口窓としての排出口と洗浄水導入口とを設けており、洗浄水導入口から導入した洗浄水を外刃の刃穴と排出口との両方から排出することで、フレーム取付台に堆積した体毛を除去することができるようになっている。
【先行技術文献】
【特許文献】
【０００４】
【特許文献１】特開昭５９−１１８８５号公報
【発明の概要】
【発明が解決しようとする課題】
【０００５】
しかしながら、上記従来の電気かみそりにあっては、開口窓としての排出口と洗浄水導入口との何れにあっても、フレーム取付台の天壁部よりも上方に配置されている。
【０００６】
そのため、洗浄が終わって天壁部が上を向くように電気かみそりを立てた状態で保管した場合に、洗い残った洗浄水や体毛などが天壁部に溜まってしまい、不衛生となってしまう恐れがあった。
【０００７】
そこで、本発明は、洗い残った洗浄水や体毛などを開口窓から排出させ易くすることのできる電気かみそりを得ることを目的とする。
【課題を解決するための手段】
【０００８】
上記目的を達成するために、本発明の第１の特徴は、桟によって複数の刃穴が画成された外刃を有する外刃フレームと、前記外刃フレームを取付可能なフレーム取付台と、前記外刃と前記フレーム取付台との間に配置されて、前記外刃に対して相対移動することで前記刃穴に挿入させた体毛を切断する内刃と、前記フレーム取付台の天壁部に堆積する体毛や洗浄水を排出可能な開口窓と、を備えた電気かみそりにおいて、前記開口窓を、前記天壁部よりも下方に設けるとともに、前記天壁部の縁部に、前記開口窓に連通する溝部を設け、前記天壁部に、前記溝部に連通する凹部を設け、前記溝部および前記凹部を前記フレーム取付台に前記外刃フレームを装着した際に形成される空間内に形成し、前記天壁部を、使用者が把持するグリップ部の延在方向に対して傾斜させるとともに、前記内刃の相対移動方向と交差する方向に傾斜させ、前記溝部を、前記天壁部の傾斜して下がった一端側の縁部に設け、前記凹部が、前記天壁部における前記内刃の相対移動方向と交差する方向に延在するとともに、前記内刃をオーバーラップする位置まで延びており、前記天壁部の傾斜して上がった他端側の途中に前記凹部の他端縁が形成されていることを要旨とする。
【０００９】
第２の特徴は、前記開口窓を開閉可能に覆う蓋部を設けたことを要旨とする。
【００１０】
第３の特徴は、前記蓋部が、前記下方に向けてスライド自在となっており、前記蓋部の上端部が、前記溝部の下端部よりも下がるようにしたことを要旨とする。
【００１３】
第４の特徴は、前記凹部が、前記天壁部に向けて徐々に拡開する傾斜面を備えることを
要旨とする。
【発明の効果】
【００１４】
本発明の電気かみそりによれば、開口窓をフレーム取付台の天壁部よりも下方に設けるとともに、天壁部の縁部に開口窓に連通する溝部を設けるようにしたので、洗い残った洗浄水や体毛などを開口窓から排出させ易くすることができる。すなわち、洗浄が終わって天壁部が上を向くように電気かみそりを立てた状態で保管した場合に、洗い残った洗浄水や体毛などを溝部を介して開口窓から排出させ易くできる。これにより、洗浄水や体毛などが天壁部に溜まってしまうのを抑制できるので、より清潔にできる。
【図面の簡単な説明】
【００１５】
【図１】本発明の一実施形態にかかる電気かみそりを示した正面図である。
【図２】図１に示す電気かみそりの側面図である。
【図３】図１のＡ−Ａ断面図である。
【図４】図３に示す電気かみそりのＢ部を拡大して示した断面図である。
【図５】図１に示す電気かみそりの外刃フレームを取り外した正面図である。
【図６】図５に示すフレーム取付台を拡大して示した斜視図である。
【図７】図５に示す電気かみそりにおける図１のＡ−Ａ線と同位置における一部断面図である。
【図８】図７に示す電気かみそりのＣ部を拡大して示した断面図である。
【発明を実施するための形態】
【００１６】
以下、本発明の実施形態について図面を参照しながら詳細に説明する。なお、以下では、複数の外刃が並設される方向を前後方向Ｘ、各外刃が延在する方向を左右方向Ｙ、外刃が上方を向くようにヘッド部を配置した状態（フレーム取付台の天壁部が上を向くように電気かみそりを立てた状態）における上下方向を上下方向Ｚとして説明する。また、電気かみそりのスイッチ部が設けられている側を前後方向Ｘ前方として説明する。
【００１７】
本実施形態の電気かみそり１は、図１に示すように、使用者が手で把持するグリップ部２と、グリップ部２に支持されるヘッド部３と、を備えている。
【００１８】
グリップ部２は、合成樹脂製のグリップ部本体２１を備えており、このグリップ部本体２１には、図示せぬ駆動部の駆動をオン・オフさせる押し釦式のスイッチ部２２が形成されている。
【００１９】
また、電気かみそり１の正面視（電気かみそり１をスイッチ部２２が設けられている側から見た状態）で、グリップ部本体２１の両端には、接点端子２３が突設されている。この接点端子２３は、グリップ部本体２１内部に内蔵される図示せぬ充電池に電気的に接続されている。そして、図示せぬ充電台に電気かみそり１を立てた状態で載置し、接点端子２３を充電台の接点部に当接させることで充電を行えるようになっている。
【００２０】
また、図２に示すように、本実施形態の電気かみそり１には、トリマーユニット４が形成されており、グリップ部本体２１の後方側（スイッチ部２２が形成されている面の反対側）には、トリマーハンドル４１が上下方向にスライド可能に取り付けられている。なお、トリマーユニット４を設けないようにしてもよい。
【００２１】
そして、ヘッド部３の上方に露出する外刃５１の内側に配設された内刃５４を外刃５１に対して相対移動（左右方向Ｙへ往復動）させることで、外刃５１の刃穴内に挿入させた体毛を、外刃５１と内刃５４とで協働して切断するようになっている。
【００２２】
以下、ヘッド部３の構成について説明する。
【００２３】
ヘッド部３は、図１および図６に示すように、グリップ部本体２１に取り付けられるヘッド部本体３０と、このヘッド部本体３０のフレーム取付台３１に着脱自在に装着される外刃フレーム４０と、を備えている。
【００２４】
フレーム取付台３１は、本実施形態では、ヘッド部本体３０の上開口部を塞ぐ本体カバー３２と、防水ゴム３３と、ゴム押さえ板３４とを備えており、ねじ３５を介してゴム押さえ板３４、ならびに本体カバー３２がヘッド部本体３０に固定されるようになっている。また、このとき、防水ゴム３３は、本体カバー３２とゴム押さえ板３４との間に挟持されるようになっており、本体カバー３２内に配置される図示せぬ駆動部に連結された内刃装着部３８を水密状態で連通させている。
【００２５】
外刃フレーム４０は、複数の外刃５１を上下動自在に備えた箱型の外刃カセット４１と、この外刃カセット４１を下側から収納して装着させることで外刃カセット４１のフレーム部材を全周に亘って覆い隠す筒型の外周枠４２と、を備えている。
【００２６】
外刃カセット４１は、前後方向Ｘに複数並設された外刃５１を備えている。本実施形態では、３枚（複数）の外刃５１を備えており、第１のネット刃５１ａ、スリット刃５１ｃ、第２のネット刃５１ｂが、電気かみそり１の前方（図２の左側）から後方（図２の右側）側に向けてこの順で並んでいる。
【００２７】
ネット刃５１ａ，５１ｂはいずれも、図２および図３に示すように、側面視（左右方向Ｙに外刃を視た状態）で上方が凸となるように前後方向（短手方向）Ｘに沿って逆Ｕ字状に湾曲して形成されている。さらに、ネット刃５１ａ，５１ｂは、正面視（前後方向Ｘに外刃を視た状態）においても、上方が凸となるように左右方向（長手方向）Ｙに沿って若干湾曲して形成されている。そして、このネット刃５１ａ，５１ｂには、桟によって複数の刃穴（図示せず）が画成されている。なお、本実施形態では、ネット刃５１ａ，５１ｂを、正面視で上方が凸となるように湾曲させているが、必ずしも湾曲させる必要はない。
【００２８】
スリット刃５１ｃは、前後方向（短手方向）Ｘに沿って略逆Ｕ字状（詳細にはコ字状）に湾曲形成されており、平坦な上壁から側壁に至る多数のスリット（刃穴）を穿設することで形成されている。
【００２９】
すなわち、スリット刃５１ｃには、多数のスリット（刃穴）が、平坦な上壁から側壁に至る略逆Ｕ字状（コ字状）の桟および側壁の下部で左右方向（長手方向）Ｙに沿って延在する桟によって画成されている。
【００３０】
内刃５４は、図６に示すように、外刃５１と上述したフレーム取付台３１との間に配置されており、外刃５１を成す各ネット刃５１ａ，５１ｂおよびスリット刃５１ｃに対して専用のものが設置されている。具体的には、各ネット刃５１ａ，５１ｂの下方に、対応するネット刃５１ａ，５１ｂの湾曲に沿う逆Ｕ字状の内刃５４ａ，５４ｂが配設されている。そして、スリット刃５１ｃの下方には、このスリット刃５１ｃの湾曲に沿うコ字状のスリット内刃（図示せぬ）が配設されるようになっている。
【００３１】
これら内刃５４ａ，５４ｂおよびスリット内刃（図示せぬ）は、内刃装着部３８などに取り付けられており、図示せぬ駆動部を駆動させると、内刃５４ａ，５４ｂおよびスリット内刃（図示せぬ）がそれぞれ左右方向Ｙに往復動するようになっている。
【００３２】
このように、各ネット刃５１ａ，５１ｂおよびスリット刃５１ｃの下方に配設された内刃５４ａ，５４ｂおよびスリット内刃（図示せぬ）を、各ネット刃５１ａ，５１ｂおよびスリット刃５１ｃに対してそれぞれ相対移動（左右方向Ｙへの往復動）させる。これにより、各ネット刃５１ａ，５１ｂの刃穴およびスリット刃５１ｃのスリット内に挿入された体毛を、各ネット刃５１ａ，５１ｂおよびスリット刃５１ｃと、内刃５４ａ，５４ｂおよびスリット内刃（図示せぬ）と、で協働して切断するように構成している。
【００３３】
また、本実施形態のヘッド部３には、フレーム取付台３１の天壁部３７に堆積する体毛や洗浄水などを排出可能な開口窓２５が設けられている。
【００３４】
具体的には、図１および図４に示すように、本実施形態では外周枠４２に外刃カセット４１を装着させた状態で、外周枠４２の外刃カセット４１よりも下側となる位置に、スリット２９を形成するようにしている。そして、このような外刃フレーム４０をヘッド部本体３０に取り付けることで、スリット２９とヘッド部本体３０の上端面３０ａ（図６参照）とで画成される開口窓２５が形成される。
【００３５】
開口窓２５は、本実施形態では、電気かみそり１のスイッチ部２２が設けられる前方側のヘッド部３に、左右方向Ｙに並設して２つ形成されている。
【００３６】
そして、本実施形態では、この開口窓２５がフレーム取付台３１の天壁部３７よりも下方に配置されるとともに、天壁部３７の縁部３７ａに、開口窓２５に連通する溝部３６が設けられている。
【００３７】
具体的には、図４〜図６に示すように、本実施形態では、フレーム取付台３１の天壁部３７が、本体カバー３２の天壁とゴム押さえ板３４とで構成されている。また、天壁部３７の天面が、本体カバー３２の天面３２ａとゴム押さえ板３４の天面３４ａとで構成されている。そして、このような天壁部３７の縁部３７ａから下方に向けて一対の溝部３６が穿設されているとともに、この一対の溝部３６が開口窓２５のそれぞれと連通するようになっている。このような構成により、洗浄が終わって天壁部３７が上を向くように電気かみそり１を立てた状態で保管した場合に、洗い残った洗浄水や体毛などを溝部３６を介して開口窓２５から排出させ易くしている。
【００３８】
また、本実施形態の開口窓２５には、図１および図４に示すように、その開口窓２５を開閉可能に覆うシャッター２８（蓋部）が設けられており、このシャッター２８が、本実施形態では下方に向けてスライド自在となっている。
【００３９】
シャッター２８は、開口窓２５をそれぞれ塞ぐことが可能な一対の被覆部２８ｂと、この被覆部２８ｂの前面から前方に向けてそれぞれ突設される一対の操作子２８ａと、を備えている。そして、本実施形態では、一対の被覆部２８ｂどうしが連結されており、２つの操作子２８ａのうちのどちらか一方を下方にスライド操作することによって、他方の被覆部２８も連動して一対の開口窓２５のそれぞれを開口することができるようになっている。
【００４０】
このとき、シャッター２８の上端部２８ｄ（図４参照）が、溝部３６の下端部３６ａ（図６参照）よりも下がるようにすることで、スリット２９と溝部３６の連通スペースを広くして、天壁部３７に溜まった洗浄水や体毛などを開口窓２５から排出し易くできる。
【００４１】
また、図４に示すように、本実施形態のシャッター２８には、一対の被覆部２８ｂの後面から後方に向けてそれぞれ係止部２８ｃが突設されている。その一方で、図４および図６に示すように、フレーム取付台３１の天壁部３７の縁部３７ａには、シャッター２８の係止部２８ｃがそれぞれ係止される一対の切欠部３９が、天壁部３７から下方に向けて穿設されている。
【００４２】
このような構成により、シャッター２８が開口窓２５を閉じた状態では、係止部２８ｃと切欠部３９とが係止される一方で、シャッター２８を下げて開口窓２５を開けた状態では、これらの係止状態が解除されて切欠部３９に肉薄の空間が形成されることとなる。これにより、スリット２９とフレーム取付台３１の天壁部３７上とを連通するスペースを広げることができるので、開口窓２５を介して導入する洗浄水の量、あるいは開口窓２５を介して排出する洗浄水の量を増やすことができる。すなわち、本実施形態では、フレーム取付台３１に堆積する体毛を除去する際に、開口窓２５から導入した洗浄水を外刃５１の刃穴から排出するようにしてもよいし、外刃５１の刃穴から導入した洗浄水を開口窓２５から排出するようにしてもよい。
【００４３】
また、図３および図４に示すように、本実施形態では、ヘッド部３がグリップ部２の延在方向に対して傾斜して取り付けられるようになっており、これにより、フレーム取付台３１の天壁部３７が、グリップ部２の延在方向に対して傾斜している。そして、図６に示すように、切欠部３６が天壁部３７の傾斜して下がった一端３７ｂ側の縁部３７ａに設けられている。
【００４４】
したがって、上述した図示せぬ充電台に電気かみそり１のグリップ部２を立てた状態で保管した場合に、洗い残った洗浄水や体毛などを開口窓２５から容易に排出することができる。よって、洗浄水や体毛などが天壁部３７に溜まってしまうのを抑制して、より清潔にすることができる。
【００４５】
また、図６に示すように、本実施形態の天壁部３７には、溝部３６に連通する凹部４５が一体に設けられており、この凹部４５が、内刃５４をオーバーラップする位置まで延びている。
【００４６】
具体的には、図６〜図８に示すように、本実施形態では、溝部３６が電気かみそり１の前方側における天壁部３７の縁部３７ａに設けられており、凹部４５が複数の内刃５４のうちの後方側の内刃５４ｂを前後方向Ｘでオーバーラップする位置まで延設されている。
【００４７】
さらに、凹部４５は、下端部に平坦面４５ａを備えるとともに、この平坦面４５ａから天壁部３７に向けて徐々に拡開する傾斜面４５ｂを備えている。
【００４８】
このような構成により、傾斜面４５ｂによって洗い残った洗浄水や体毛などを開口窓２５方向にガイドすることができるので、洗浄水や体毛などが凹部４５内に溜まってしまうのを抑制して、開口窓２５から排出させ易くすることができる。また、凹部４５が後方側の内刃５４ｂを前後方向Ｘでオーバーラップする位置まで延びているので、より広範囲に亘って洗浄水や体毛などが天壁部３７に溜まってしまうのを抑制できる。
【００４９】
以上、説明してきたように、本実施形態では、開口窓２５をフレーム取付台３１の天壁部３７よりも下方に設けるとともに、天壁部３７の縁部３７ａに開口窓３７に連通する溝部３６を設けるようにしている。そのため、洗い残った洗浄水や体毛などを開口窓２５から排出させ易くすることができる。すなわち、洗浄が終わって天壁部３７が上を向くように電気かみそり１を立てた状態で保管した場合に、洗い残った洗浄水や体毛などを溝部３６を介して開口窓２５から排出させ易くできる。これにより、洗浄水や体毛などが天壁部３７に溜まってしまうのを抑制できるので、より清潔にできる。
【００５０】
また、従来のように開口窓をフレーム取付台の天壁部よりも上方に設ける構成では、外刃カセットのフレーム部材などに開口を設ける必要があり、その開口を有した新しい外刃カセットを製造しなければならず、コスト高になってしまう恐れがあった。その点、本実施形態では、外刃カセット４１のフレーム部材などに開口を設ける必要がないので、既存の外刃カセット４１を用いてコストを低減することができるので好適である。
【００５１】
さらにまた、本実施形態では、開口窓２５を開閉可能に覆うシャッター（蓋部）２８を設けるようにしている。そのため、電気かみそり１を立てた状態で保管した場合には、シャッター２８を開いて洗い残った洗浄水や体毛などを排出させることができつつ、風通りを良くして不乾燥部が形成されるのを抑制することができる。その一方で、電気かみそり１の使用時には、シャッター２８を閉じて使用することにより、使用中に開口窓２５を介して髭屑が散らばってしまうことなどを抑制できる。さらに、シャッター２８を閉じることで、電気かみそり１の外観が損なわれてしまうこともない。
【００５２】
また、本実施形態では、シャッター（蓋部）２８が、下方に向けてスライド自在となっており、シャッター２８の上端部２８ｄが、溝部３６の下端部３６ａよりも下がるようにしている。そのため、開口窓２５と溝部３６との連通スペースを最大限に広く確保することができる。よって、開口窓２５を通過する洗浄水の量を増やして効果的にフレーム取付台３１に堆積する体毛を除去することができるとともに、電気かみそり１の保管時には、天壁部３７に溜まった洗浄水や体毛などを開口窓２５からより排出させ易くできる。
【００５３】
さらにまた、本実施形態では、フレーム取付台３１の天壁部３７を、使用者が把持するグリップ部２の延在方向に対して傾斜させるとともに、溝部３６を天壁部３７の傾斜して下がった一端３７ｂ側の縁部３７ａに設けるようにしている。そのため、電気かみそり１のグリップ部２を真っ直ぐに立てた状態で保管した場合に、洗い残った洗浄水や体毛などを傾斜して下がった側にある開口窓２５から容易に排出することができる。したがって、洗浄水や体毛などが天壁部３７に溜まってしまうのをより確実に抑制することができ、フレーム取付台３１をより清潔に保つことができる。
【００５４】
また、本実施形態では、フレーム取付台３１の天壁部３７に、溝部３６に連通する凹部４５を設けるとともに、この凹部４５が、内刃５４をオーバーラップする位置まで延びている。そのため、より広い範囲に亘って洗い残った洗浄水や体毛などが天壁部３７に溜まってしまうのを抑制できるという利点がある。
【００５５】
さらにまた、本実施形態では、凹部４５が、フレーム取付台３１の天壁部３７に向けて徐々に拡開する傾斜面４５ｂを備えている。そのため、傾斜面４５ｂによって洗い残った洗浄水や体毛などを開口窓２５方向にガイドすることができるので、洗浄水や体毛などが凹部４５内に溜まってしまうのを抑制して、開口窓２５から排出させ易くすることができる。
【００５６】
以上、本発明の好適な実施形態について説明したが、本発明は上記実施形態には限定されず、種々の変形が可能である。
【００５７】
例えば、上記実施形態では、ヘッド部全体がグリップ部の延在方向に対して傾斜していたが、フレーム取付台の天壁部のみがグリップ部の延在方向に対して傾斜するようにしてもよい。
【符号の説明】
【００５８】
１      電気かみそり
２５    開口窓
３１    フレーム取付台
３６    溝部
３７    天壁部
３７ａ  縁部
４０    外刃フレーム
５１    外刃
５４    内刃
Ｘ      前後方向
Ｙ      左右方向
Ｚ      上下方向
【図１】
0005903651.tif 000002
【図２】
0005903651.tif 000003
【図３】
0005903651.tif 000004
【図４】
0005903651.tif 000005
【図５】
0005903651.tif 000006
【図６】
0005903651.tif 000007
【図７】
0005903651.tif 000008
【図８】
0005903651.tif 000009